【手続補正書】
【提出日】令和2年4月2日(2020.4.2)
【手続補正１】
【補正対象書類名】特許請求の範囲
【補正対象項目名】全文
【補正方法】変更
【補正の内容】
【特許請求の範囲】
【請求項１】
現場の設備に関する現場データを取得する現場データ取得手段と、前記現場データをサービスデータとして利用するサービス提供手段を通信対象として、前記通信対象と情報の送受信を行うデータ提供手段を有し、
前記データ提供手段は、
前記現場データと前記サービスデータとの関係を規定した変換ルールの情報として、前記現場データを識別する第１の識別情報と前記現場データの仕様に関する第１の仕様情報をその有効期間に関連付けて管理する現場データ管理テーブルと、前記サービスデータを識別する第２の識別情報と前記サービスデータの仕様に関する第２の仕様情報をその有効期間に関連付けて管理するサービスデータ管理テーブルと、前記現場データを識別する第３の識別情報と前記サービスデータを識別する第４の識別情報とを関連付けて管理すると共に前記変換ルールをその有効期間に関連付けて管理する変換ルール管理テーブルとを管理し、
前記サービス提供手段からデータ取得要求を受信した場合、指定された要求期間の前記現場データを、有効期間単位で前記現場データ取得手段から取得し、
前記有効期間単位で取得した前記現場データの仕様と、要求期間に含まれる有効期間単位の前記サービスデータの仕様とを比較し、
比較された前記有効期間単位の前記現場データの仕様と、要求期間に含まれる有効期間単位の前記サービスデータの仕様との間に相違がある場合に、前記有効期間単位で取得した現場データを前記変換ルールに従って変換し、
変換された有効期間単位の現場データを統合して、変換された要求期間の現場データとして前記サービス提供手段に送信する
ことを特徴とするデータ提供装置。
【請求項２】
前記データ提供手段は、
前記サービス提供手段から前記データ取得要求として前記第２の識別情報と要求期間を含むデータ取得要求を受信した場合、受信した前記データ取得要求に付加された前記第２の識別情報に対応した第１の識別情報で特定される現場データであって、前記データ取得要求に付加された前記要求期間における現場データを、前記現場データ取得手段から取得し、
前記データ取得要求に付加された前記第２の識別情報を基に前記現場データ管理テーブルと前記サービスデータ管理テーブルを参照して、前記現場データの仕様と前記サービスデータの仕様とを比較し、
比較された前記現場データの仕様と前記サービスデータの仕様との間に相違がある場合に、前記変換ルール管理テーブルを参照して、取得した前記現場データを、前記データ取得要求に付加された前記要求期間における変換ルールに従ってサービスデータに変換する
ことを特徴とする請求項１に記載のデータ提供装置。
【請求項３】
前記データ提供手段は、
前記現場データ取得手段から前記第１の識別情報と要求期間を含むデータ送信通知を受信した場合、前記データ送信通知に付加された前記第１の識別情報で特定される現場データであって、前記データ送信通知に付加された前記要求期間における現場データを、前記現場データ取得手段から取得し、
前記データ送信通知に付加された前記第１の識別情報と前記第１の識別情報に対応した第２の識別情報とを基に前記現場データ管理テーブルと前記サービスデータ管理テーブルを参照して、前記現場データの仕様と前記サービスデータの仕様とを比較し、
比較された前記現場データの仕様と前記サービスデータの仕様との間に相違がある場合に、前記変換ルール管理テーブルを参照して、取得した前記現場データを、前記データ送信通知に付加された前記要求期間における変換ルールに従ってサービスデータに変換し、
変換された前記サービスデータを前記サービス提供手段で利用されるサービスデータとして管理する
ことを特徴とする請求項１又は２に記載のデータ提供装置。
【請求項４】
前記データ提供手段は、
前記通信対象に属する説明情報設定手段から前記第１の識別情報又は前記第２の識別情報を含む入力情報を受信した場合、受信した前記入力情報を基に前記変換ルール管理テーブルを検索して、前記入力情報に対応した前記第３の識別情報又は前記第４の識別情報で特定される変換ルールであって、前記変換ルール管理テーブルに登録済みの変換ルールを、複数の変換ルールの中から抽出し、
抽出された前記変換ルールに関する情報を候補として、前記説明情報設定手段に送信する
ことを特徴とする請求項１乃至３のうちのいずれか１項に記載のデータ提供装置。
【請求項５】
前記サービスデータ管理テーブルと、前記現場データ管理テーブル及び前記変換ルール管理テーブルにそれぞれ登録される情報は、前記有効期間に関連付けてバージョン毎に管理されている
ことを特徴とする請求項１乃至４のうちのいずれか１項に記載のデータ提供装置。
【請求項６】
現場の設備に関する現場データを取得する現場データ取得手段と、前記現場データをサービスデータとして利用するサービス提供手段を通信対象として、前記通信対象と情報の送受信を行うデータ提供手段を有するデータ提供装置におけるデータ提供方法であって、
前記データ提供手段が、前記現場データと前記サービスデータとの関係を規定した変換ルールの情報として、前記現場データを識別する第１の識別情報と前記現場データの仕様に関する第１の仕様情報をその有効期間に関連付けて管理する現場データ管理テーブルと、前記サービスデータを識別する第２の識別情報と前記サービスデータの仕様に関する第２の仕様情報をその有効期間に関連付けて管理するサービスデータ管理テーブルと、前記現場データを識別する第３の識別情報と前記サービスデータを識別する第４の識別情報とを関連付けて管理すると共に前記変換ルールをその有効期間に関連付けて管理する変換ルール管理テーブルとを管理する管理ステップと、
前記データ提供手段が、前記サービス提供手段からデータ取得要求を受信した場合、指定された要求期間の現場データを、有効期間単位で前記現場データ取得手段から取得する取得ステップと、
前記データ提供手段が、前記取得ステップで前記有効期間単位で取得した前記現場データの仕様と、要求期間に含まれる有効期間単位の前記サービスデータの仕様とを比較する比較ステップと、
前記データ提供手段が、前記比較ステップでの比較により、前記有効期間単位の前記現場データの仕様と、要求期間に含まれる有効期間単位の前記サービスデータの仕様との間に相違がある場合に、前記有効期間単位で取得した前記現場データを前記変換ルールに従って変換する変換ステップと、
前記データ提供手段が、前記変換ステップで変換された有効期間単位の現場データを統合して、変換された要求期間の現場データとして前記サービス提供手段に送信する送信ステップと、
を有することを特徴とするデータ提供方法。
【請求項７】
前記データ提供手段は、
前記取得ステップでは、前記サービス提供手段から前記データ取得要求として前記第２の識別情報と要求期間を含むデータ取得要求を受信した場合、受信した前記第２の識別情報に対応した第１の識別情報で特定される現場データであって、前記データ取得要求に付加された前記要求期間における現場データを、前記現場データ取得手段から取得し、
前記比較ステップでは、前記データ取得要求に付加された前記第２の識別情報を基に前記現場データ管理テーブルと前記サービスデータ管理テーブルを参照して、前記現場データの仕様と前記サービスデータの仕様とを比較し、
前記変換ステップでは、前記比較ステップでの比較により、前記現場データの仕様と前記サービスデータの仕様との間に相違がある場合に、前記変換ルール管理テーブルを参照して、取得した前記現場データを、前記データ送信要求に付加された前記要求期間における変換ルールに従ってサービスデータに変換する
ことを特徴とする請求項６に記載のデータ提供方法。
【請求項８】
前記データ取得手段は、
前記取得ステップでは、前記現場データ取得手段から前記第１の識別情報と要求期間を含むデータ送信通知を受信した場合、前記データ送信通知に付加された前記第１の識別情報で特定される現場データであって、前記データ送信通知に付加された前記要求期間における現場データを、前記現場データ取得手段から取得し、
前記比較ステップでは、前記データ送信通知に付加された前記第１の識別情報と前記第１の識別情報に対応する第２の識別情報とを基に前記現場データ管理テーブルと前記サービスデータ管理テーブルを参照して、前記現場データの仕様と前記サービスデータの仕様とを比較し、
前記変換ステップでは、前記比較ステップでの比較により、前記現場データの仕様と前記サービスデータの仕様との間に相違がある場合に、前記変換ルール管理テーブルを参照して、取得した前記現場データを、前記データ送信通知で指定された前記要求期間における変換ルールに従ってサービスデータに変換し、変換された前記サービスデータを前記サービス提供手段で利用されるサービスデータとして管理する
ことを特徴とする請求項６又は７に記載のデータ提供方法。
【請求項９】
前記データ提供手段が、前記通信対象に属する説明情報設定手段から前記第１の識別情報又は前記第２の識別情報を含む入力情報を受信した場合、受信した前記入力情報を基に前記変換ルール管理テーブルを検索して、前記受信した入力情報に対応した前記第３の識別情報又は前記第４の識別情報で特定される変換ルールであって、前記変換ルール管理テーブルに登録済みの変換ルールを、複数の変換ルールの中から抽出し、抽出された前記変換ルールに関する情報を候補として、前記説明情報設定手段に送信する抽出送信ステップ
を更に有することを特徴とする請求項６乃至８のうちのいずれか１項に記載のデータ提供方法。
【請求項１０】
前記サービスデータ管理テーブルと、前記現場データ管理テーブル及び前記変換ルール管理テーブルにそれぞれ登録される情報は、前記有効期間に関連付けてバージョン毎に管理されている
ことを特徴とする請求項６乃至９のうちのいずれか１項に記載のデータ提供方法。
【請求項１１】
少なくとも設備に関するデータを収集するデータ収集手段と、前記データ収集手段を通信対象として、前記通信対象と情報の送受信を行うデータ提供手段と、を備えた設備管理システムであって、
前記データ提供手段は、
前記データ収集手段で収集されたデータであって、前記設備の変更前に生成された第１のデータを管理する第１の情報と、前記設備の変更後に生成された第１の変更データを管理する第１の変更情報を前記設備の仕様に関連付けて登録すると共に、前記第１の変更データを前記第１のデータに変換する複数の変換ルールを登録する管理テーブルを有し、
前記データ提供手段は、
前記データ収集手段から前記第１の情報と前記第１の変更情報を読込むと共に、前記第１のデータと前記第１の変更データを読込み、読込んだ前記各情報を基に読込んだ前記各データに適用する変換ルールを前記複数の変換ルールの中から抽出し、抽出された前記変換ルールを基に読込まれた前記第１の変更データを第１のデータに変換し、変換された前記第１のデータを前記管理テーブルに登録することを特徴とする設備管理システム。
【請求項１２】
前記データ提供手段の前記通信対象に属し、前記データ提供手段からの情報を表示する表示部を有する説明情報設定手段を更に備え、
前記表示部は、
前記第１の変更情報を表示すると共に、前記第１の変更情報が前記第１の情報よりも後に前記データ提供手段に読み込まれたことを示す情報を表示することを特徴とする請求項１１に記載の設備管理システム。
【請求項１３】
前記データ提供手段の前記通信対象に属し、前記データ提供手段からの情報を表示する表示部を有する説明情報設定手段を更に備え、
前記表示部は、
前記第１の変更情報を表示すると共に、前記第１の変更情報が、前記設備が変更された後の値であることを表示することを特徴とする請求項１１に記載の設備管理システム。
【請求項１４】
前記データ提供手段の前記通信対象に属し、前記データ提供手段からの情報を表示する表示部を有する説明情報設定手段を更に備え、
前記表示部は、
前記データ提供手段により特定された変換ルールに関する情報を表示することを特徴とする請求項１１に記載の設備管理システム。
【手続補正２】
【補正対象書類名】明細書
【補正対象項目名】０１４２
【補正方法】変更
【補正の内容】
【０１４２】
例えば、データ名４０１で特定されるデータ名５０１の情報が「サービスＡデータＡ」の場合、クエリ実行制御部１０８は、「サービスＡデータＡ」を基に変換ルール管理テーブル１１７を参照して、現場システム（１）１１８のセンサ（１）に関する現場データと、現場システム（１）１１８のセンサ（３）に関する現場データとを、現場システム（１）１１８から取得する。